(57)【要約】【課題】例外設定が設けている印刷ジョブの印刷処理を行う際に、その操作を煩雑化させること無く、快適な印刷処理環境を提供する。【解決手段】印刷ジョブの全体に係る印刷設定とは異なる例外設定を当該印刷ジョブから検出する例外設定検出部１０９と、例外設定検出部１０９で検出した例外設定単位での表示を行う設定項目の選択処理を行う制御部１０５と、制御部１０５で選択処理された設定項目に応じて、対応する例外設定単位での表示を表示装置１１６に行う例外設定表示部１０３とを具備するようにする。【選択図】図１
2008305020.tif 000002
【特許請求の範囲】
【請求項１】
印刷ジョブの全体に係る印刷設定とは異なる例外設定を当該印刷ジョブから検出する検出手段と、
前記検出手段で検出した例外設定について例外設定単位で表示することを指示する指示手段と、
前記指示手段により例外設定単位での表示が指示された場合、例外設定単位で表示すべき設定項目を選択する選択手段と、
前記選択手段で選択された設定項目に関係する例外設定情報を表示する表示手段と
を有することを特徴とするジョブ管理装置。
【請求項２】
前記設定項目は、ステープル、印刷に使用される用紙、カラーモード、レイアウト設定の少なくとも１つであり、
前記選択手段で選択された設定項目を変更することにより、前記表示手段は、変更された設定項目に関係する例外設定情報を表示することを特徴とする請求項１に記載のジョブ管理装置。
【請求項３】
前記例外設定情報とは、前記設定項目が適用されるシート範囲であり、
前記表示手段は、前記選択手段によって選択された設定項目と当該設定項目が適用されるシート範囲とを表示することを特徴とする請求項１に記載のジョブ管理装置。
【請求項４】
前記印刷ジョブには、前記設定項目ごとに前記例外設定のシート範囲が示されたジョブチケットが含まれており、
前記検出手段は、前記ジョブチケットから前記例外設定を検出することを特徴とする請求項１乃至３のいずれか１項に記載のジョブ管理装置。
【請求項５】
前記印刷ジョブを受信する受信手段と、
オペレータが指示の入力を行う操作手段と、
前記操作手段からの指示に基づいて、前記印刷ジョブを前記例外設定ごとに例外処理パラメータまたは前記例外設定が適用されるシート範囲を編集する編集手段とを更に有することを特徴とする請求項１乃至４のいずれか１項に記載のジョブ管理装置。
【請求項６】
前記表示手段は、前記編集手段によって前記例外設定が適用されるシート範囲が変更された場合、当該変更によって例外設定が適用されないシート範囲となったシートについて、選択されている設定項目の前記印刷ジョブ全体に係る設定が適用されたことを表示することを特徴とする請求項５に記載のジョブ管理装置。
【請求項７】
前記表示手段は、前記編集手段によってレイアウト設定が変更された場合、当該変更されたレイアウト設定が適用されるシート範囲を変更して表示することを特徴とする請求項５に記載のジョブ管理装置。
【請求項８】
前記操作手段からの指示に基づいて、前記例外設定ごとに再印刷処理を行う印刷処理手段を更に有することを特徴とする請求項５乃至７のいずれか１項に記載のジョブ管理装置。
【請求項９】
前記ジョブチケットの処理種別を判別するとともに、当該処理種別の処理順序を判別するジョブチケット解釈手段を更に有し、
前記検出手段は、前記処理順序が最終の処理種別から遡った順に前記処理種別を選択して、前記例外設定を検出することを特徴とする請求項４に記載のジョブ管理装置。
【請求項１０】
前記印刷ジョブから例外設定を検出し、各設定項目が適用されるシート範囲に基づいてサブジョブチケットを生成するサブジョブチケット生成手段を更に有し、
前記表示手段は、前記サブジョブチケットを用いて例外設定単位での表示を実現することを特徴とする請求項１乃至９のいずれか１項に記載のジョブ管理装置。
【請求項１１】
前記サブジョブチケットを、他の例外設定ごとに分割したミニサブジョブチケットを生成するミニサブジョブチケット生成手段を更に有することを特徴とする請求項１０に記載のジョブ管理装置。
【請求項１２】
印刷ジョブの全体に係る印刷設定とは異なる例外設定を当該印刷ジョブから検出する検出ステップと、
前記検出ステップで検出した例外設定について例外設定単位で表示することを指示する指示ステップと、
前記指示ステップにより例外設定単位での表示が指示された場合、例外設定単位で表示すべき設定項目を選択する選択ステップと、
前記選択ステップで選択された設定項目に関係する例外設定情報を表示する表示ステップと
を有することを特徴とするジョブ管理方法。
【請求項１３】
前記設定項目は、ステープル、印刷に使用される用紙、カラーモード、レイアウト設定の少なくとも１つであり、
前記選択ステップで選択された設定項目を変更することにより、前記表示ステップでは、変更された設定項目に関係する例外設定情報を表示することを特徴とする請求項１２に記載のジョブ管理方法。
【請求項１４】
前記例外設定情報とは、前記設定項目が適用されるシート範囲であり、
前記表示ステップでは、前記選択ステップによって選択された設定項目と当該設定項目が適用されるシート範囲とを表示することを特徴とする請求項１２に記載のジョブ管理方法。
【請求項１５】
前記印刷ジョブには、前記設定項目ごとに前記例外設定のシート範囲が示されたジョブチケットが含まれており、
前記検出ステップでは、前記ジョブチケットから前記例外設定を検出することを特徴とする請求項１２乃至１４のいずれか１項に記載のジョブ管理方法。
【請求項１６】
前記印刷ジョブを受信する受信ステップと、
オペレータが操作手段を用いて指示の入力を行う操作ステップと、
前記操作手段からの指示に基づいて、前記印刷ジョブを前記例外設定ごとに例外処理パラメータまたは前記例外設定が適用されるシート範囲を編集する編集ステップとを更に有することを特徴とする請求項１２乃至１５のいずれか１項に記載のジョブ管理方法。
【請求項１７】
前記表示ステップでは、前記編集ステップによって前記例外設定が適用されるシート範囲が変更された場合、当該変更によって例外設定が適用されないシート範囲となったシートについて、選択されている設定項目の前記印刷ジョブ全体に係る設定が適用されたことを表示することを特徴とする請求項１６に記載のジョブ管理方法。
【請求項１８】
前記表示ステップでは、前記編集ステップによってレイアウト設定が変更された場合、当該変更されたレイアウト設定が適用されるシート範囲を変更して表示することを特徴とする請求項１６に記載のジョブ管理方法。
【請求項１９】
前記操作手段からの指示に基づいて、前記例外設定ごとに再印刷処理を行う印刷処理ステップを更に有することを特徴とする請求項１６乃至１８のいずれか１項に記載のジョブ管理方法。
【請求項２０】
前記ジョブチケットの処理種別を判別するとともに、当該処理種別の処理順序を判別するジョブチケット解釈ステップを更に有し、
前記検出ステップでは、前記処理順序が最終の処理種別から遡った順に前記処理種別を選択して、前記例外設定を検出することを特徴とする請求項１５に記載のジョブ管理方法。
【請求項２１】
前記印刷ジョブから例外設定を検出し、各設定項目が適用されるシート範囲に基づいてサブジョブチケットを生成するサブジョブチケット生成ステップを更に有し、
前記表示ステップでは、前記サブジョブチケットを用いて例外設定単位での表示を実現することを特徴とする請求項１２乃至２０のいずれか１項に記載のジョブ管理方法。
【請求項２２】
前記サブジョブチケットを、他の例外設定ごとに分割したミニサブジョブチケットを生成するミニサブジョブチケット生成ステップを更に有することを特徴とする請求項２１に記載のジョブ管理方法。
【請求項２３】
印刷ジョブの全体に係る印刷設定とは異なる例外設定を当該印刷ジョブから検出する検出ステップと、
前記検出ステップで検出した例外設定について例外設定単位で表示することを指示する指示ステップと、
前記指示ステップにより例外設定単位での表示が指示された場合、例外設定単位で表示すべき設定項目を選択する選択ステップと、
前記選択ステップで選択された設定項目に関係する例外設定情報を表示する表示ステップと
をコンピュータに実行させるためのプログラム。
【発明の詳細な説明】
【技術分野】
【０００１】
本発明は、印刷ジョブの管理を行うジョブ管理装置及びジョブ管理方法、並びに、当該ジョブ管理方法をコンピュータに実行させるためのプログラムに関するものである。
【背景技術】
【０００２】
従来、顧客（クライアント）から印刷物（雑誌、新聞、カタログ、広告、グラビア等）の作成依頼を受注し、当該クライアントの所望する印刷物を作成し、それを当該クライアントに納品することでクライアントから報酬を得る、所謂、商業的印刷業界がある。この商業的印刷業界では、現在でも、オフセット製版印刷機などの大規模な印刷装置等を用いて印刷物を作成しているのが主流である。
【０００３】
商業的印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工及び発送といった様々な工程を経て作業が進められてきた。これは、上述のような印刷機の利用には版下作成を欠かすことができず、一度版下を作成すると、その修正は容易でなく、且つコスト的にかなり不利であるため、入念な校正、即ちレイアウトのチェックや色の確認作業が必須であること等に起因している。
【０００４】
このような従来の商業的印刷業界では、大掛かりな印刷装置を必要とし、且つ、クライアントが所望する印刷物を作成するためにある程度の時間も必要であった。しかも、これらのそれぞれの作業工程には専門知識が必要であり、いわば職人と呼ばれる熟練者のノウハウが必要であった。
【０００５】
一方、最近、電子写真方式の印刷装置やインクジェット方式の印刷装置の高速化、高画質化に伴い、上記のような印刷業界に対抗して、プリント・オン・ディマンド（ＰＯＤ）と呼ばれる市場も出現してきている。このＰＯＤは、上術した従来の商業的印刷業界のような大規模な印刷機や印刷手法に替えて、大掛かりな装置やシステムを用いずに、大量部数や大量ジョブを短納期で処理することを目指すものである。ＰＯＤ市場は、例えば、デジタル複写機やデジタル複合機等のデジタル画像形成装置を最大限に活用し、電子データを用いたディジタルプリントを実現して、それで商売を行う市場である。
【０００６】
このようなＰＯＤ市場では、従来の商業的印刷業界に比べてデジタル化が融合し、コンピュータを利用した管理、制御が浸透してきており、ある程度、従来の商業的印刷業界のレベルに近づこうとしている。そして、ＰＯＤ市場の更なる発展のため、デジタル画像形成装置側の印刷ワークフローにおいて再印刷処理の簡便性が求められている。例えば、一旦、印刷処理が終了したジョブをジョブチケット等で管理して再印刷処理が容易に指示できるジョブ管理装置などの操作性の向上が求められている。
【０００７】
また、ＰＯＤでは、必要な印刷物を必要な量だけ印刷処理を行うものである。これは、１冊の書類においても同様で、１冊にすると非常に大量となる場合、１つの書類を分冊して出力する場合がある。
【０００８】
このような場合、印刷ジョブに対して、印刷ジョブ全体の印刷設定だけでなく、当該印刷ジョブの全体に係る印刷設定とは異なる設定（この設定を「例外設定」と称する）を１つのジョブチケットで部分的に設けることが可能となっている。このような例外設定は、例えば、特定の部分のみステープルを行う／行わない設定や、特定の部分のみカラー／モノクロを変更する設定、特定の部分のみ異なる用紙を使用する設定などがある。
【０００９】
上述した特定の部分に係る従来の印刷処理方法としては、例えば、下記の特許文献１及び特許文献２における技術がある。具体的に、特許文献１には、必要なページイメージを抜き出して印刷装置へ出力する技術が開示されており、また、特許文献２には、コンテンツをブロックに分けて、ブロック単位で印刷処理を行う技術が開示されている。
【００１０】
【特許文献１】特開平１０−２７０７６号公報
【特許文献２】特開２００５−６２９１６号公報
【発明の開示】
【発明が解決しようとする課題】
【００１１】
通常、ジョブ管理装置では、一旦、ジョブチケットのような印刷指示データとなった後は、当該ジョブチケットを１つの単位としてジョブを管理している。しかしながら、１つのジョブチケットで例外設定が設定されている印刷ジョブについて、例外設定の内容を確認することが困難であった。
【００１２】
例えば、１０ページの印刷ジョブのうち、ステイプルの例外設定が３、４、８、９ページに設定されており、用紙サイズの例外設定「Ａ３」が３、４、８ページ目、例外設定「Ａ５」が７ページ目、「レター」が５、６ページ目に設定されている。さらに、用紙種類の例外設定「再生紙」が、３、４ページ目、例外設定「普通紙」が５、６ページ目、例外設定「ラベル」が７ページ目に設定されているとする。この場合、上述した例外設定を含む印刷ジョブが生成され、当該印刷ジョブの設定情報を確認すると図３４のように表示されるため、例えば、ユーザは、ステイプルの例外設定が適用される範囲を容易に確認することができなかった。さらに、ページ数が増加したり、例外設定項目が増加することに従って表示内容は複雑化するため、ユーザは、更に例外設定の内容を確認することが困難となる可能性があった。
【００１３】
即ち、従来においては、各例外設定単位で表示を行い、操作性を向上させる仕組みを提供できるようにすることが望まれていた。
【００１４】
本発明は上述の問題点に鑑みてなされたものであり、例外設定が設定されている印刷ジョブの印刷処理を行う際に、その操作を煩雑化させること無く、快適な印刷処理環境を提供することを目的とする。
【課題を解決するための手段】
【００１５】
本発明のジョブ管理装置は、印刷ジョブの全体に係る印刷設定とは異なる例外設定を当該印刷ジョブから検出する検出手段と、前記検出手段で検出した例外設定について例外設定単位で表示することを指示する指示手段と、前記指示手段により例外設定単位での表示が指示された場合、例外設定単位で表示すべき設定項目を選択する選択手段と、前記選択手段で選択された設定項目に関係する例外設定情報を表示する表示手段とを有する。
【発明の効果】
【００１６】
本発明によれば、例外設定が設けている印刷ジョブの印刷処理を行う際に、その操作を煩雑化させること無く、快適な印刷処理環境を提供することが可能となる。
【発明を実施するための最良の形態】
【００１７】
以下、本発明の諸実施形態について添付図面を参照しながら説明する。
【００１８】
（第１の実施形態）
以下に、本発明の第１の実施形態について説明する。
図１は、第１の実施形態に係るジョブ管理装置１００の機能構成の一例を示すブロック図である。
【００１９】
ここで、ジョブ管理装置１００は、例えば、ＣＰＵ、ＲＯＭ、ＲＡＭ、ＨＤ等のハードウエアを有するコンピュータ装置で構成されている。そして、図１に示すジョブ管理装置１００の各機能構成は、ＣＰＵがＲＯＭ又はＨＤ等に格納されているジョブ管理アプリケーションに係るプログラムを実行することにより実現される。
【００２０】
図１に示すように、ジョブ管理装置１００を構成する各構成部１０１〜１１６は、内部バスを介して通信可能に接続されている。
【００２１】
図１のジョブ送受信部１０１は、コンピュータ装置や印刷装置等の外部装置と当該ジョブ管理装置１００との間でやり取りされる全てのジョブの送受信を行うとともに、再印刷処理の際には、ジョブチケットのみの送受信も行う。ここで、送受信されるジョブとしては、例えば、印刷処理等の処理が実行中であることを示す実行中ジョブや、処理が待機中であることを示す待機中ジョブ、出力処理が完了したことを示す終了ジョブ、エラーが発生したことを示すエラージョブ等が挙げられる。
【００２２】
ジョブ表示部１０２は、ジョブのリストや、ジョブの処理状態等を表示装置１１６に表示する制御を行う。例外設定表示部１０３は、ジョブにおける例外設定に関する情報を例外設定単位で表示装置１１６に表示する制御を行う。ここで、例外設定とは、前述したように、ジョブ（印刷ジョブ）の全体に係る設定（印刷設定）とは異なる設定のことである。
【００２３】
操作部１０４は、表示装置１１６に表示されたジョブや例外設定等の選択や、変更、削除、再印刷処理、或いは、パラメータの入力などをオペレータが行う際に操作するものである。
【００２４】
制御部１０５は、ジョブ管理装置１００における動作を統括的に制御するものであり、必要に応じて各構成部（１０１〜１０４、１０６〜１１６）の動作の制御を行う。
【００２５】
ジョブチケット解釈部１０６は、ジョブチケットの解釈を行うものであり、具体的に、ジョブチケットの構造的な解析を行った後に、処理の指示内容の意味を解釈する。ジョブチケット編集部１０７は、ジョブチケットの内容を編集する処理を行う。
【００２６】
ジョブチケット作成部１０８は、再印刷処理の際に、オリジナルのジョブチケットに替えて、印刷装置に対する指示として、オリジナルのジョブチケットの最終プロセスにおける例外設定毎にくくったサブジョブチケットの作成を行う。さらに、ジョブチケット作成部１０８は、作成したサブジョブチケットを他の例外設定毎に分割してミニサブジョブチケット等を生成する。
【００２７】
例外設定検出部１０９は、ジョブチケット内の例外設定を検出する処理を行う。例外設定編集部１１０は、ジョブチケット内の例外設定を編集する処理を行う。
【００２８】
ジョブ情報管理部１１１は、ジョブチケットのファイル保存や保存したジョブチケットの取り出し、或いは、例外設定情報のファイル保存や保存した例外設定情報の取り出しなどを関連付けて統合的な管理を行う。ジョブ情報管理部１１１は、これらの管理を、後述するジョブチケット管理部１１２及び例外設定情報管理部１１４と連携して行う。
【００２９】
ジョブチケット管理部１１２は、ジョブチケット等のファイル保存や保存したジョブチケット等の取り出しなどの管理を行う。ジョブチケットＤＢ１１３は、ジョブチケット等のファイルを保存する外部記憶装置である。
【００３０】
例外設定情報管理部１１４は、例外設定情報のファイル保存や当該例外設定情報の抽出、例外設定同士等の関連付けなどの管理を行う。例外設定情報ＤＢ１１５は、例外設定情報のファイルを保存する外部記憶装置である。
【００３１】
図３５は、第１の実施形態に係るジョブ管理装置１００のハードウェア構成の一例を示すブロック図である。ジョブ管理装置１００は、例えば情報処理装置に相当する。
【００３２】
図３５において、ＣＰＵ３５０１は、ＲＯＭ３５０３またはハードディスク（ＨＤ）３５１１からＲＡＭ３５０２にロードされたＯＳや一般アプリケーションなどのプログラムを実行し、後述するフローチャートの手順を実現する。ＲＡＭ３５０２は、ＣＰＵ３５０１の主メモリ、ワークエリア等として機能する。ＲＯＭ３５０３は、フォントＲＯＭ、プログラムＲＯＭ及びデータＲＯＭを有して構成されている。
【００３３】
キーボードコントローラ（ＫＢＣ）３５０５は、キーボード３５０９や不図示のポインティングデバイスからのキー入力を制御する。ＣＲＴコントローラ（ＣＲＴＣ）３５０６は、ＣＲＴディスプレイ３５１０の表示を制御する。ディスクコントローラ（ＤＫＣ）３５０７は、ブートプログラム、種々のアプリケーション、フォントデータ、ユーザファイル、後述の編集ファイル等を記憶するハードディスク（ＨＤ）３５１１や不図示のフレキシブルディスク（ＦＤ）等とのアクセスを制御する。ＰＲＴＣ３５０８は、接続されたプリンタとの間の信号の交換を制御する。ＮＣ３５１２は、ネットワークに接続されて、ネットワークに接続された他の機器との通信制御処理を実行する。システムバス３５０４は、ＣＰＵ３５０１、ＲＡＭ３５０２、ＲＯＭ３５０３、ＫＢＣ３５０５、ＣＲＴＣ３５０６、ＤＫＣ３５０７、ＰＲＴＣ３５０８及びＮＣ３５１２を相互に通信可能に接続するためのものである。
【００３４】
図２は、第１の実施形態に係るジョブ管理装置１００を有する印刷処理システムの一例を示す模式図である。
【００３５】
図２に示す印刷処理システムは、ジョブ管理装置１００と、ジョブ生成アプリケーション２１０と、ＭＦＰ（Multi Function Peripheral）２２０を有して構成されている。
【００３６】
ジョブ生成アプリケーション２１０は、ジョブチケットを生成するジョブチケット生成部２１１とＰＤＬデータを生成するＰＤＬ生成部２１２を有しており、これらによって印刷ジョブ２０１が生成される。ジョブ生成アプリケーション２１０によって生成された印刷ジョブ２０１は、図１に示すジョブ管理装置１００に送信される。
【００３７】
ＭＦＰ２２０は、ジョブ管理装置１００から印刷ジョブ２０２やジョブチケット２０３を受信して印刷処理等を行う。このＭＦＰ２２０は、ジョブ送受信Ｉ／Ｆ２２１と、ジョブチケット処理部２２２と、ＰＤＬ処理部２２３と、プリント処理部２２４と、ＭＦＰ管理部２２５を有して構成されている。ジョブ送受信Ｉ／Ｆ２２１は、ジョブ等の送受信を行う。ジョブチケット処理部２２２は、ジョブチケット関連の処理を行う。ＰＤＬ処理部２２３は、ＰＤＬ関連の処理を行う。プリント処理部２２４は、印刷処理を行う。ＭＦＰ管理部２２５は、当該ＭＦＰ２２０の各構成部を統括的に管理する。
【００３８】
次に、第１の実施形態に係るジョブ管理装置１００の具体的な処理について、図３〜図９、並びに、図３１及び図３２を用いて説明する。
【００３９】
図３は、第１の実施形態に係るジョブ管理装置１００において、表示装置１１６に印刷ジョブ２０１を例外設定単位毎に表示する操作処理手順の一例を示すフローチャートである。この際、図３に示すフローチャートの処理は、例えば、図１に示す制御部１０５による制御のもとで行われる。また、図８及び図９は、図３に示す操作処理手順例に係るジョブ管理アプリケーション及びその操作例を示す模式図である。
【００４０】
ここでは、印刷ジョブ２０１の印刷設定を１つ１つのジョブ単位で表示する「１ジョブ表示」の状態から、例外設定単位ごとに表示する「例外設定レベル別表示」に切り替えて、「ステープル」の例外設定レベルで表示させる場合について説明する。なお、例外設定単位は、例外設定レベルと記載されることもある。
【００４１】
ステップＳ３０１において、制御部１０５は、まず、ジョブ管理アプリケーションを起動し、ジョブ表示部１０２を制御して、図８（ａ）に示すジョブリスト画面８０２を表示装置１１６に表示させる。その後、制御部１０５は、オペレータが操作部１０４を介して選択したジョブ８０３を選択する。
【００４２】
続いて、ステップＳ３０２において、制御部１０５は、まず、オペレータが操作部１０４のポインティングデバイスを右クリックしたことを検知すると、ジョブ表示部１０２にジョブリスト画面８０２における図８（ａ）に示す機能メニュー８０４を表示させる。その後、オペレータから操作部１０４を介して、機能メニュー８０４の中から「ジョブ表示方法選択」の選択がなされると、制御部１０５は、ジョブ表示部１０２に、図８（ａ）に示すジョブ表示方法メニュー８０５を表示させる。
【００４３】
続いて、ステップＳ３０３において、制御部１０５は、オペレータが操作部１０４を介してジョブ表示方法メニュー８０５の中から「例外設定レベル別表示」を選択したことを検知する。ここで、「例外設定レベル別表示」は、ジョブの印刷設定を例外設定レベルで表示する処理を指す。そして、制御部１０５は、例えば、ジョブ表示部１０２に、図８（ａ）に示す例外設定レベルメニュー８０６を表示する。この例外設定レベルメニュー８０６には、例外設定レベル（例外設定単位）での表示を行う設定項目の一例として、「ステープル」、「メディア」、「カラーモード」及び「レイアウト」の各設定項目が示されている。その他、設定項目の一例として、例えば、「印刷に使用される用紙」を適用することも可能である。
【００４４】
続いて、ステップＳ３０４において、オペレータが操作部１０４を介して例外設定レベルメニュー８０６の中から「ステープル」の選択を行うと、制御部１０５は、これを検知して選択処理を行う。そして、制御部１０５は、例外設定表示部１０３に対して、ジョブリスト画面８０２に、図８（ｂ）に示す「例外設定レベル（「ステープル」）に関係する例外設定情報」８０７を表示させる。
【００４５】
図８（ｂ）において、例外設定レベル８０８は表示している例外設定レベルを示し、ＩＤ８０９は関連するサブジョブチケットのＩＤを示し、状態８１０は印刷の状態を示している。また、シート８１１は例外設定の対象シート範囲を示し、例外処理パラメータ８１２は例外設定における処理パラメータを示し、ページ数８１３は印刷出力されるページ数をそれぞれ示している。
【００４６】
なお、ジョブリスト画面８０２に表示する例外設定レベルを更に切り替える場合は、ステップＳ３０２〜ステップＳ３０４の処理を同様に行う。例えば、例外設定レベルを「カラーモード」に切り替える場合について、以下に説明する。
【００４７】
なお、ステップＳ３０２〜Ｓ３０３の処理は、「例外設定レベル（「ステープル」）」と同じであるため詳細な説明は省略する。
【００４８】
ステップＳ３０４において、オペレータが操作部１０４を介して例外設定レベルメニュー９０３の中から「カラーモード」の選択を行うと、制御部１０５は、これを検知して選択処理を行う。そして、制御部１０５は、例外設定表示部１０３に対して、ジョブリスト画面８０２に図９（ｂ）に示す「例外設定レベル（「カラーモード」）の印刷設定表示」９０４を表示させる。
【００４９】
次に、図３に示す操作処理が行われた際のジョブ管理装置１００の内部処理について説明する。
【００５０】
図４は、第１の実施形態に係るジョブ管理装置１００の内部処理手順の一例を示すフローチャートである。この際、図４に示すフローチャートの処理は、例えば、図１に示す制御部１０５による制御のもとで行われる。
【００５１】
まず、ステップＳ４０１において、ジョブ送受信部１０１は、ジョブ生成アプリケーション２１０からジョブ（印刷ジョブ２０１）を受信する。この際、ジョブ送受信部１０１で受信したジョブは、例えば、図８（ａ）に示すジョブ管理アプリケーションのジョブリスト画面８０２に反映される。
【００５２】
続いて、ステップＳ４０２において、ジョブ情報管理部１１１は、受信したジョブからジョブチケットを抽出する。ここで、図３１は、ジョブチケットの一例を示す模式図である。図３１には、ジョブチケットの構造３１０１、ジョブチケットで実行されるプロセス３１０２、及び、原稿ページと例外設定レベルとの相関態様３１０３の一例が示されている。
【００５３】
続いて、ステップＳ４０３において、ジョブチケット解釈部１０６は、ジョブ情報管理部１１１で抽出されたジョブチケットを解釈する。具体的に、ジョブチケット解釈部１０６は、ジョブチケットの構造的な解析を行った後に、処理の指示内容の意味を解釈する。
【００５４】
続いて、ステップＳ４０４において、ジョブチケット解釈部１０６は、さらに、ジョブチケットの処理の指示内容から、当該ジョブチケットを構成する処理種別（以降、「プロセス」と称する）を判別する。
【００５５】
続いて、ステップＳ４０５において、ジョブチケット解釈部１０６は、さらに、ステップＳ４０４で判別したプロセスで使用されるデータの入出力から、プロセスの処理順序を判別し、各プロセスに処理順序を示す番号を付加する。例えば、図３１の場合、レイアウト配置処理、レンダリング処理、印刷処理、ステープル処理の順序に従って処理順序を示す番号を付加する。よって、レイアウト配置処理には、処理順序「１」が設定され、ステープル処理には、処理順序「４」が設定される。
【００５６】
次に、例外設定検出部１０９は、印刷処理順序とは逆順に、すなわち、最終プロセスから遡った順に、例外設定検出対象プロセスを選択して、例外設定を検出する。
【００５７】
具体的には、まず、ステップＳ４０６において、例外設定検出部１０９は、プロセス順序カウンタに、最終プロセス順序番号をセットする。図３１の場合、例外設定検出部１０９は、処理順序「４」をＳ４０６において設定する。
【００５８】
続いて、ステップＳ４０７において、例外設定検出部１０９は、例外設定検出対象プロセスとして、プロセス順序カウンタのカウント値と等しいプロセス順序番号を持つプロセスを選択する。つまり、図３１の場合、例外設定検出部１０９は、Ｓ４０６において処理順序「４」を設定したので、ステープル処理を選択する。
【００５９】
続いて、ステップＳ４０８において、例外設定検出部１０９は、ステップＳ４０７で選択したプロセス毎に例外設定の検出処理を行う。なお、Ｓ４０８の処理は、図５にて詳細に説明する。
【００６０】
続いて、ステップＳ４０９において、例外設定検出部１０９は、プロセス順序カウンタからカウント値を１だけ削減し、処理したプロセスの前のプロセスを例外設定検出対象とする。
【００６１】
続いて、ステップＳ４１０において、例外設定検出部１０９は、例外設定検出対象プロセスの残りがあるか否かを判断する。この判断の結果、例外設定検出対象プロセスの残りがある場合には、ステップＳ４０７に戻る。
【００６２】
一方、ステップＳ４１０の判断の結果、例外設定検出対象プロセスの残りが無い場合には、ステップＳ４１１に進む。そして、ステップＳ４１１において、ジョブチケット作成部１０８は、ステップＳ４０２で抽出されたオリジナルのジョブチケットを、最終プロセスまでの例外設定レベル（例外設定単位）で分割したサブセットであるサブジョブチケットを生成する。なお、Ｓ４０２の処理は、図６にて詳細に説明する。
【００６３】
続いて、ステップＳ４１２において、ジョブチケット管理部１１２は、ステップＳ４１１で生成されたサブジョブチケットをジョブチケットＤＢ１１３に保存する。
【００６４】
続いて、ステップＳ４１３において、例外設定表示部１０３は、例外設定レベル毎の情報を表示装置１１６のジョブリスト画面８０２に表示する。
【００６５】
そして、ステップＳ４１３の処理が終了すると、図４に示すフローチャートにおける処理が終了する。
【００６６】
次に、図４のステップＳ４０８の例外設定検出処理の詳細な処理について説明する。
図５は、図４のステップＳ４０８の例外設定検出処理における詳細な処理手順の一例を示すフローチャートである。
【００６７】
まず、ステップＳ５０１において、例外設定検出部１０９は、当該例外設定検出対象プロセスに例外設定があるか否かを判断する。具体的には、例外設定検出部１０９は、Ｓ４０２において抽出したジョブチケットの各処理プロセスに複数のパラメータが設定されているか否かを判定する。ここで、複数のパラメータが設定されていると判定された場合、ジョブ全体の設定だけでなく、その他の設定が含まれていることになるので、例外設定検出部１０９は、「例外設定あり」と判断する。この判断の結果、当該例外設定検出対象プロセスに例外設定がない場合には、当該フローチャートにおける処理を終了し、図４のステップＳ４０９に進む。
【００６８】
一方、ステップＳ５０１の判断の結果、当該例外設定検出対象プロセスに例外設定がある場合には、ステップＳ５０２に進む。そして、ステップＳ５０２において、例外設定検出部１０９は、当該例外設定検出対象プロセスにおける例外設定の種別を判別し、これを例外設定レベル（本例では、図８及び図９の「ステープル」「メディア」「カラーモード」「レイアウト」）として抽出する。具体的には、例えば処理順序「４」を対象としている場合、例外設定検出部１０９は、図３１のジョブチケットにおいて処理順序「４」に該当する処理を特定する。よって、「ステープル処理」が特定される。
【００６９】
続いて、ステップＳ５０３において、例外設定検出部１０９は、当該例外設定が所属するプロセスの情報（本例では、「プロセス名」や「プロセス順序」）を抽出する。
【００７０】
続いて、ステップＳ５０４において、例外設定検出部１０９は、例外設定毎に例外処理パラメータ（本例では、ステープルであれば、例えば図８（ｂ）に示す「左上」など）を抽出する。なお、ステップＳ５０３、Ｓ５０４の処理も、図３１のジョブチケットを解釈することで実現される。
【００７１】
続いて、ステップＳ５０５において、例外設定検出部１０９は、例外設定以外のデフォルト処理パラメータ（本例では、ステープルであれば、例えば「非処置」など）を抽出する。具体的には、例外設定検出部１０９は、ジョブチケットの送信先となるデバイスや、ジョブチケットの送信元となるアプリケーションに設定されているデフォルト処理パラメータを取得することで、ステップＳ５０５の処理が実現される。
【００７２】
続いて、ステップＳ５０６において、例外設定検出部１０９は、ジョブチケットを参照して、例外設定毎に例外処理対象シートの判別を行う。具体的には、現在の処理対象がステープルである場合、例外設定検出部１０９は、ジョブチケットのステープルに含まれる対象パラメータのシート番号を判別する。図３１の場合では、１つ目のパラメータの対象シートが１〜２となっているので、例外設定検出部１０９は、当該シート１〜２を特定する。
【００７３】
続いて、ステップＳ５０７において、例外設定検出部１０９は、例外設定毎に異なる例外設定ＩＤを付加する。
【００７４】
続いて、ステップＳ５０８において、例外設定情報管理部１１４は、例外設定検出部１０９が抽出や付加した例外設定に関する情報を例外設定情報として、例外設定情報ＤＢ１１５に保存する。ここで、図７Ａは、第１の実施形態における例外設定情報７０１の一例を示す図である。
【００７５】
続いて、ステップＳ５０９において、例外設定検出部１０９は、当該例外設定検出対象プロセスに残りの例外設定があるか否かを判断する。この判断の結果、当該例外設定検出対象プロセスに残りの例外設定がある場合には、ステップＳ５０２に戻る。
【００７６】
一方、ステップＳ５０９の判断の結果、当該例外設定検出対象プロセスに残りの例外設定が無い場合には、ステップＳ５１０に進む。そして、ステップＳ５１０において、例外設定検出部１０９は、例外設定レベル毎に定められた設定可能処理パラメータの候補を、ジョブチケット解釈部１０６を用いて抽出する。具体的には、例外設定検出部１０９は、ジョブチケットの送信先となるデバイスや、ジョブチケットの送信元となるアプリケーションから設定可能処理パラメータの候補を抽出する。例えば、デバイスが、ステイプル処理として、「中綴じ」、「左上」、「左下」、「右上」、「右下」に設定可能であれば、これらの設定パラメータが抽出される。
【００７７】
続いて、ステップＳ５１１において、例外設定情報管理部１１４は、例外設定検出部１０９が抽出した例外設定レベル毎に定められた設定可能処理パラメータの候補を例外設定レベル別選択可能処理パラメータ情報として、例外設定情報ＤＢ１１５に保存する。ここで、図７Ｂは、第１の実施形態における例外設定レベル別選択可能処理パラメータ情報７０２の一例を示す図である。
【００７８】
そして、ステップＳ５１１の処理が終了すると、図５に示すフローチャートにおける処理が終了する。
【００７９】
次に、図４のステップＳ４１１のサブジョブチケット生成処理の詳細な処理について説明する。
図６は、図４のステップＳ４１１のサブジョブチケット生成処理における詳細な処理手順の一例を示すフローチャートである。
【００８０】
まず、例外設定情報管理部１１４において、例外設定情報ＤＢ１１５に保存した例外設定情報７０１における各個別の例外設定の関連付け情報を生成する。
【００８１】
具体的には、まず、ステップＳ６０１において、例外設定情報管理部１１４は、ステップＳ５０８で例外設定情報ＤＢ１１５に保存した、図７Ａに示す例外設定情報７０１から、個別の例外設定を抽出する。例えば、図７Ａでは、例外設定が１４種類保存されているので、例外設定情報管理部１１４は、例外設定ＩＤの順序に従って各例外設定を抽出する（例えば、図７Ａでは、まず例外設定ＩＤ「１」が抽出される）。
【００８２】
続いて、ステップＳ６０２において、例外設定情報管理部１１４は、ステップＳ６０１で抽出した個別の例外設定が、最終プロセスに属しているか否かを判断する。この判断の結果、ステップＳ６０１で抽出した個別の例外設定が最終プロセスに属していない場合には、ステップＳ６０１に戻る。例えば、図７Ａにおいて例外設定ＩＤ「１」を抽出した場合、例外設定情報管理部１１４は、例外設定レベル「ステープル」を確認し、図３１のジョブチケットと対応づけることで、「ステープル」が、最終プロセスに属していると判断できる。
【００８３】
一方、ステップＳ６０２の判断の結果、ステップＳ６０１で抽出した個別の例外設定が最終プロセスに属している場合には、ステップＳ６０３に進む。そして、ステップＳ６０３において、例外設定情報管理部１１４は、当該個別の例外設定にサブジョブチケットＩＤを付加する。
【００８４】
続いて、ステップＳ６０４において、例外設定情報管理部１１４は、処理対象シートが重複している他の例外設定の抽出を行う。例えば、例外設定ＩＤ「１」を処理対象としている場合、図７Ａから処理対象シートが「１〜２」であると特定できる。そこで、例外設定情報管理部１１４は、処理対象シートとして「１」または「２」が設定されている他の例外設定を抽出する。よって、図７Ａを例外設定情報とする場合、例外設定情報管理部１１４は、例外設定ＩＤ「１」と重複する他の例外設定として、例外設定ＩＤ「３」、「４」、「７」、「８」、「１１」、「１２」を抽出する。
【００８５】
続いて、ステップＳ６０５において、例外設定情報管理部１１４は、ステップＳ６０４での抽出結果に基づいて、例外設定関連付け情報を生成する。ここで、図７Ｃは、第１の実施形態における例外設定関連付け情報７０３の一例を示す図である。
【００８６】
続いて、ステップＳ６０６において、例外設定情報管理部１１４は、図７Ａに示す例外設定情報７０１に、関連付け処理が済んでいない個別の例外設定が残っているか否かを判断する。この判断の結果、関連付け処理が済んでいない個別の例外設定が残っている場合には、ステップＳ６０１に戻る。例えば、図７Ａにおいて、例外設定ＩＤ「１」について関連付け処理を実行したが、例外設定ＩＤ「２」については関連付け処理を実行していない場合、本フローチャートの処理は、ステップＳ６０１に戻ることとなる。
【００８７】
一方、ステップＳ６０６の判断の結果、関連付け処理が済んでいない個別の例外設定が残っていない場合には、ステップＳ６０７に進む。そして、ステップＳ６０７において、例外設定情報管理部１１４は、ステップＳ６０５で生成した例外設定関連付け情報７０３を、例外設定情報ＤＢ１１５に保存する。
【００８８】
続いて、ステップＳ６０８において、ジョブチケット作成部１０８は、例外設定関連付け情報７０３から、サブジョブチケットを生成する。ここで、図３２は、サブジョブチケットの一例を示す模式図である。具体的に、図３２には、例えば、ＩＤ＝１のサブジョブチケットの構造３２０１及びＩＤ＝２のサブジョブチケットの構造３２０２が示されている。後述するが、サブジョブチケットは、ステップＳ６０５において生成された例外設定関連付け情報に基づいて生成される。
【００８９】
そして、ステップＳ６０８の処理が終了すると、図６に示すフローチャートにおける処理が終了する。
【００９０】
第１の実施形態では、以上のようにして、例外設定が設定されている印刷ジョブにおいて、例外設定レベル毎に表示する仕組みが提供され、オペレータによる例外設定毎の印刷設定の把握を容易にし、処理効率を向上させることができる。これにより、第１の実施形態のジョブ管理装置１００によれば、例外設定が設定されている印刷ジョブの印刷処理を行う際に、当該例外設定部分の印刷処理に係る操作が簡易なものとなり、快適な印刷処理環境を提供することが可能となる。
【００９１】
（第２の実施形態）
以下に、本発明の第２の実施形態について説明する。
第２の実施形態に係るジョブ管理装置は、図１に示す第１の実施形態に係るジョブ管理装置１００の機能構成と同様の構成からなる。また、第２の実施形態に係る印刷処理システムは、図２に示す第１の実施形態に係る印刷処理システムと同様の構成からなる。
【００９２】
次に、第２の実施形態に係るジョブ管理装置１００の具体的な処理について、図１０〜図１９を用いて説明する。
【００９３】
図１０は、第２の実施形態に係るジョブ管理装置１００において、表示装置１１６に例外設定レベル別表示が行われている場合に、印刷処理済みのジョブを例外設定毎に編集する際の第１の操作処理手順例を示すフローチャートである。この際、図１０に示すフローチャートの処理は、例えば、図１に示す制御部１０５による制御のもとで行われる。
【００９４】
また、図１２は、図１０に示す第１の操作処理手順例に係るジョブ管理アプリケーション及びその操作例を示す模式図である。例えば、図１２（ａ）に示すジョブ管理アプリケーション１２０１の画面は、例外設定レベルが設定項目「ステープル」のジョブの印刷設定を変更する様子を示したものである。また、例えば、図１２（ｂ）に示すジョブ管理アプリケーション１２０４の画面は、例外設定レベルが設定項目「カラーモード」のジョブの印刷設定を変更する様子を示したものである。そして、図１２（ａ）及び図１２（ｂ）に示すどちらのジョブ管理アプリケーションの操作処理手順も、図１０に示すフローチャートにより行われる。
【００９５】
まず、図１０のステップＳ１００１において、制御部１０５は、オペレータからの操作部１０４を介した例外設定レベル別表示の指示に基づいて、図３のフローチャートにおける所定の操作処理を行い、表示装置１１６に例外設定レベル別の表示を行う。具体的に、制御部１０５は、例えば、例外設定表示部１０３に対して、図１２（ａ）に示すジョブ管理アプリケーション１２０１の画面、或いは、図１２（ｂ）に示すジョブ管理アプリケーション１２０４の画面を表示装置１１６に表示させる制御を行う。
【００９６】
続いて、ステップＳ１００２において、制御部１０５は、まず、オペレータから操作部１０４を介して編集対象例外設定レベルの「例外処理パラメータ」（図１２の１２０２や１２０５）が選択されると、これを検知する。そして、制御部１０５は、例えば、例外設定表示部１０３に対して、例外処理パラメータメニュー（図１２の１２０３や１２０６）を表示装置１１６に表示させる制御を行う。
【００９７】
続いて、ステップＳ１００３において、オペレータから操作部１０４を介して例外処理パラメータメニューの中から所定の選択肢が選択されると、制御部１０５は、例外設定表示部１０３に、ジョブリスト画面の例外設定レベル別の表示を自動的に更新表示させる。
【００９８】
この図１０に示す操作処理の際の第２の実施形態に係るジョブ管理装置１００の処理の一例を以下に示す。
【００９９】
図１１は、第２の実施形態に係るジョブ管理装置１００において、例外設定毎の編集処理の一例を示すフローチャートである。この際、図１１に示すフローチャートの処理は、例えば、図１に示す制御部１０５による制御のもとで行われる。
【０１００】
まず、操作部１０４を介してオペレータから例外設定の編集が指示され、例外設定編集部１１０で当該指示に応じた例外設定の変更がなされると、ステップＳ１１０１において、例外設定情報管理部１１４は、当該例外設定の変更を検知する。
【０１０１】
続いて、ステップＳ１１０２において、例外設定情報管理部１１４は、ステップＳ１１０１によって検知された例外設定の変更により処理対象シートが変更されたか否かを判断する。具体例としては、例えばステップＳ１１０１において、図１６のようにレイアウト設定が、４ｉｎ１から２ｉｎ１に変更された場合、シート数が増加することとなる。この場合、例外設定情報管理部１１４は、処理対象シートが変更されたと判定する。なお、ステップＳ１１０２において処理対象シートが変更されると判定されるその他の例は、ステイプルの処理対象シートが変更された場合などが挙げられる。その結果、図１６では、レイアウト設定の変更に従って、変更されたレイアウト設定が適用されるシート範囲を変更している。
【０１０２】
ここで、図１０に示す本例のように、処理対象シートの変更がなされていない場合には、変更された例外設定に関する部分のみ、例外設定情報及び例外設定関連付け情報を更新する。
【０１０３】
すなわち、本例の場合には、ステップＳ１１０２で処理対象シートが変更されないと判断されて、ステップＳ１１１２に進む。そして、ステップＳ１１１２において、例外設定情報管理部１１４は、例外設定情報について、変更された例外設定に関する部分のみ変更して更新する。
【０１０４】
続いて、ステップＳ１１１３において、例外設定情報管理部１１４は、例外設定関連付け情報について、変更された例外設定に関する部分のみ変更して更新する。
【０１０５】
続いて、ステップＳ１１１４において、ジョブチケット作成部１０８は、サブジョブチケットを再生成する。
【０１０６】
続いて、ステップＳ１１１５において、例えば、ジョブチケット管理部１１２は、不要なサブジョブチケットがあるか否かを判断する。ここで、不要なサブジョブチケットとしては、例えば、ステップＳ１１１４で再生成されたサブジョブチケットにおける前のサブジョブチケット等が挙げられる。
【０１０７】
ステップＳ１１１５の判断の結果、不要なサブジョブチケットがある場合には、続いて、ステップＳ１１１６に進む。そして、ステップＳ１１１６において、ジョブチケット管理部１１２は、不要なサブジョブチケットを、ジョブチケットＤＢ１１３から削除する。
【０１０８】
そして、ステップＳ１１１５で不要なサブジョブチケットがないと判断された場合、或いは、ステップＳ１１１６の処理が終了した場合には、図１１に示すフローチャートにおける処理が終了する。
【０１０９】
図１４は、第２の実施形態に係るジョブ管理装置１００において、例外設定レベル別表示が設定されている場合に、印刷処理済みのジョブを例外設定毎に編集する際の第２の操作処理手順例を示すフローチャートである。この際、図１４に示すフローチャートの処理は、例えば、図１に示す制御部１０５による制御のもとで行われる。
【０１１０】
また、図１５、図１６及び図１７は、図１４に示す第２の操作処理手順例に係るジョブ管理アプリケーションが提供する画面の一例を示す模式図である。
【０１１１】
ここでは、例えば、「レイアウト」の例外設定レベルの一部を４ｉｎ１から２ｉｎ１に変更して、「ステープル」の範囲を変更して、２分冊から３分冊に変更する場合について説明する。当然ながら、その他の設定変更時にも図１４のフローチャートを適用することは可能である。
【０１１２】
この場合、ステップＳ１４０１において、制御部１０５は、まず、ジョブ管理アプリケーションを起動し、ジョブ表示部１０２を制御して、図１５（ａ）に示すジョブリスト画面を表示装置１１６に表示させる。その後、制御部１０５は、オペレータが操作部１０４を介して選択した、図１５（ａ）に示すジョブ１５００の選択処理を行う。
【０１１３】
続いて、ステップＳ１４０２において、制御部１０５は、まず、オペレータが操作部１０４のポインティングデバイスを右クリックしたことを検知すると、ジョブ表示部１０２にジョブリスト画面における図１５（ａ）に示す機能メニュー１５０１を表示させる。その後、オペレータから操作部１０４を介して、機能メニュー１５０１の中から「ジョブ表示方法選択」の選択がなされると、制御部１０５は、ジョブ表示部１０２に、図１５（ａ）に示すジョブ表示方法メニュー１５０２を表示させる。
【０１１４】
続いて、ステップＳ１４０３において、オペレータが操作部１０４を介してジョブ表示方法メニュー１５０２の中から「例外設定レベル別表示」の選択を行うと、制御部１０５は、これを検知する。ここで、「例外設定レベル別表示」は、ジョブの印刷設定を例外設定レベルで表示するものである。そして、制御部１０５は、ジョブ表示部１０２に、図１５（ａ）に示す例外設定レベルメニュー１５０３を表示させる。この例外設定レベルメニュー１５０３には、例外設定レベル（例外設定単位）での表示を行う設定項目として、「ステープル」、「メディア」、「カラーモード」及び「レイアウト」の各設定項目が示されている。その他、設定項目の一例として、例えば、「印刷に使用される用紙」を適用することも可能である。
【０１１５】
続いて、ステップＳ１４０４において、オペレータが操作部１０４を介して例外設定レベルメニュー１５０３の中から「レイアウト」の選択を行うと、制御部１０５は、これを検知して選択処理を行う。そして、制御部１０５は、例外設定表示部１０３に対して、ジョブリスト画面に、図１５（ｂ）に示す「例外設定レベル（「レイアウト」）の印刷設定表示」１５０４を表示させる。
【０１１６】
続いて、ステップＳ１４０５において、制御部１０５は、まず、オペレータから操作部１０４を介して編集対象例外設定レベルの「例外処理パラメータ」が選択されると、これを検知する。そして、制御部１０５は、例えば、例外設定表示部１０３に対して、例外処理パラメータメニューを表示装置１１６に表示させる制御を行う。ここで、例えば、図１５（ｂ）のジョブリスト画面において、ＩＤ＝１の例外処理パラメータの「４ｉｎ１」が選択されると、図１６（ａ）に示す例外処理パラメータメニュー１６０１を表示させる。
【０１１７】
続いて、ステップＳ１４０６において、オペレータから操作部１０４を介して例外処理パラメータメニュー１６０１の中から所定の選択肢（本例の場合には「２ｉｎ１」）が選択されると、制御部１０５は、これを検知する。そして、制御部１０５は、検知結果に基づいて、例外設定表示部１０３に、ジョブリスト画面の対応する例外設定レベル１６０２（図１６（ａ））の更新表示を自動的に行わせる。この際、例外設定レベル１６０２では、処理対象シートが変更されている。なぜならば、図１６（ａ）のように４ｉｎ１から２ｉｎ１へ変更したことにより、シート数が増えたためである。
【０１１８】
このステップＳ１４０１〜Ｓ１４０６に示す操作処理の際の第２の実施形態に係るジョブ管理装置１００の処理の一例を、図１１を参照して以下に示す。
【０１１９】
まず、操作部１０４を介してオペレータから例外設定の編集が指示され、例外設定編集部１１０で当該指示に応じた例外設定の変更がなされると、ステップＳ１１０１において、例外設定情報管理部１１４は、当該例外設定の変更を検知する。
【０１２０】
続いて、ステップＳ１１０２において、例外設定情報管理部１１４は、処理対象シートが変更されたか否かを判断する。
【０１２１】
ここで、本例の場合には、処理対象シートが変更されるため、ステップＳ１１０３に進む。続いて、ステップＳ１１０３において、例外設定情報管理部１１４は、変更された例外設定の例外設定レベルが「レイアウト」であるか否かを判断する。
【０１２２】
本例では、変更された例外設定の例外設定レベルが図１５（ａ）に示す「レイアウト」であるため、ステップＳ１１０８に進む。
【０１２３】
本例では、変更された例外設定の例外設定レベルが図１５（ａ）に示す「レイアウト」であって、図１６（ａ）に示す「４ｉｎ１」であったものを「２ｉｎ１」へ変更している。これに伴って、図１６（ａ）に示す例外設定レベル１６０２では、処理対象シート範囲が「２」であったものが「２〜３」に変更される。
【０１２４】
この変更に伴って、他の例外設定レベルにおける「レイアウト」の処理対象シートの範囲にも影響があるため、ステップＳ１１０８において、例外設定情報管理部１１４は、他の例外設定レベルにおける「レイアウト」の処理対象シートの変更も行う。具体的に、本例では、図１６（ｂ）に示す例外設定レベル１６０３のように処理対象シート範囲が「３」であったものが「４」に変更され、例外設定レベル１６０４のように処理対象シート範囲が「４」であったものが「５」に変更される。
【０１２５】
続いて、ステップＳ１１０９において、例外設定情報管理部１１４は、変更された全ての例外設定レベルのそれぞれが関連するサブジョブチケットＩＤを検出する。具体的に、本例では、図１６（ａ）から（ｂ）において、４つの例外設定レベルのうち下３つ（つまり、例外設定レベル１６０２から１６０４）の処理対象シートが変更されている。よって、ステップＳ１１０９において、例外設定情報管理部１１４は、例外設定レベル１６０２に関連するサブジョブチケットＩＤ「１」を検出する。同様に、例外設定情報管理部１１４は、、例外設定レベル１６０３に関連するサブジョブチケットＩＤ「２」と、例外設定レベル１６０４に関連するサブジョブチケットＩＤ「２」を検出する。
【０１２６】
続いて、ステップＳ１１１０において、例外設定情報管理部１１４は、検出した各サブジョブチケットＩＤから、例外設定関連付け情報をもとに、関連する例外設定を検出する。具体的には、図１６では、処理対象シートが「２」のレイアウトについて設定を変更した。つまり、例外設定ＩＤ１２について変更したこととなる。この際、例外設定ＩＤ１２は、サブジョブチケットＩＤ「１」に属する。そのため、サブジョブチケットＩＤ「１」において、例外設定ＩＤ「１２」を除いた例外設定が、ステップＳ１１１０において関連する例外設定として検出される。
【０１２７】
続いて、ステップＳ１１１１において、例外設定情報管理部１１４は、ステップＳ１１１０で検出した関連する例外設定の処理対象シートを、同じサブジョブチケットＩＤで関連付けられた例外設定レベルが「レイアウト」の処理対象シート範囲をもとに更新する。具体的に、本例では、ステップＳ１１１０においてサブジョブチケットＩＤ＝１に関連する例外設定として例外設定ＩＤ「１２」を除いた例外設定（つまり、例外設定ＩＤ「１」、「３」、「４」、「７」、「８」、「１１」）が検出されている。例外設定情報管理部１１４は、この検出された例外設定ＩＤに対応する処理対象シートを「１〜２」から「１〜３」に更新する。
【０１２８】
続いて、ステップＳ１１１２において、例外設定情報管理部１１４は、例外設定情報について、変更された例外設定に関する部分のみ変更して更新する。
【０１２９】
続いて、ステップＳ１１１３において、例外設定情報管理部１１４は、例外設定関連付け情報について、変更された例外設定に関する部分のみ変更して更新する。つまり、上述したようにレイアウトの変更によって処理対象シートが変化している。例外設定関連付け情報は、処理対象シートに基づいて関連付けられているため、当該処理対象シートの変更に従い、例外設定関連付け情報も更新される。
【０１３０】
続いて、ステップＳ１１１４において、ジョブチケット作成部１０８は、サブジョブチケットを再生成する。
【０１３１】
続いて、ステップＳ１１１５において、例えば、ジョブチケット管理部１１２は、不要なサブジョブチケットがあるか否かを判断する。
【０１３２】
ステップＳ１１１５の判断の結果、不要なサブジョブチケットがある場合には、続いて、ステップＳ１１１６に進む。そして、ステップＳ１１１６において、ジョブチケット管理部１１２は、不要なサブジョブチケットを、ジョブチケットＤＢ１１３から削除する。
【０１３３】
そして、ステップＳ１１１５で不要なサブジョブチケットがないと判断された場合、或いは、ステップＳ１１１６の処理が終了した場合には、図１１に示すフローチャートにおける処理が終了する。
【０１３４】
再び、図１４の説明に戻る。
ステップＳ１４０６の処理が終了すると、続いて、ステップＳ１４０７において、制御部１０５は、例外設定表示部１０３に、例外設定レベル別の表示における例外処理パラメータ及びシート範囲を自動的に変更表示させる。つまり、制御部１０５は、図１１により変更された例外設定情報等に基づいて、表示内容を変更する。
【０１３５】
続いて、ステップＳ１４０８において、オペレータが操作部１０４を介して図１５（ａ）に示す例外設定レベルメニュー１５０３の中から「ステープル」の選択を行うと、制御部１０５は、これを検知する。そして、制御部１０５は、例外設定表示部１０３に対して、ジョブリスト画面における例外設定レベル別の表示を「ステープル」に変更させる。この際、上述したステップＳ１１１１において、ステープルの処理対象シートは「１〜３」と変更されたため、画面上における処理対象シートには「１〜３」と表示される。
【０１３６】
続いて、ステップＳ１４０９において、制御部１０５は、まず、オペレータが操作部１０４を介して変更した、図１７（ａ）に示す編集対象例外設定レベルの処理対象シート範囲１７０１を検出する。なお、図１７（ａ）では、オペレータが、サブジョブチケットＩＤ「１」の処理対象シートを「１〜３」から「１〜２」へと変更している。そして、制御部１０５は、検出結果に応じて例外設定編集部１１０に例外設定の分割処理を行わせ、当該分割処理結果に基づいて例外設定表示部１０３に、図１７（ｂ）に示すジョブリスト画面の例外設定レベル１７０２の更新表示を行わせる。つまり、処理対象シート「３」用のサブジョブチケットＩＤ「３」が新たに生成される。
【０１３７】
このステップＳ１４０７〜Ｓ１４０９に示す操作処理の際の第２の実施形態に係るジョブ管理装置１００の処理の一例を、図１１を参照して以下に示す。
【０１３８】
まず、操作部１０４を介してオペレータから例外設定の編集が指示され、例外設定編集部１１０で当該指示に応じた例外設定の変更がなされると、ステップＳ１１０１において、例外設定情報管理部１１４は、当該例外設定の変更を検知する。
【０１３９】
続いて、ステップＳ１１０２において、例外設定情報管理部１１４は、処理対象シートが変更されたか否かを判断する。
【０１４０】
ここで、本例の場合には、図１７（ｂ）の画面を介して処理対象シートが変更されるため、ステップＳ１１０３に進む。続いて、ステップＳ１１０３において、例外設定情報管理部１１４は、変更された例外設定の例外設定レベルが「レイアウト」であるか否かを判断する。
【０１４１】
ここで、本例の場合には、変更された例外設定の例外設定レベルが図１７に示すように、「ステープル」であるため、ステップＳ１１０４に進む。続いて、ステップＳ１１０４において、例外設定情報管理部１１４は、最終プロセスにおける例外設定レベルが増減するか否かを判断する。
【０１４２】
本例の場合には、図１７（ａ）に示すＩＤ＝１の例外設定レベルの処理対象シート範囲１７０１のように、「１〜３」であったものが「１〜２」に変更された場合は、ＩＤ＝１のサブジョブチケットのシート範囲が変わることになる。このため、最終プロセスにおける例外設定レベルに係るシート範囲が「１〜２」と「３」と「４〜５」となって、当該例外設定レベルが増加することになるため、ステップＳ１１０５に進む。
【０１４３】
続いて、ステップＳ１１０５において、例外設定情報管理部１１４は、増加した例外設定に対して、新規のサブジョブチケットＩＤを生成する。なお、ここで生成された新規のサブジョブチケットＩＤは「３」である。
【０１４４】
続いて、ステップＳ１１０７において、例外設定情報管理部１１４は、図１７（ａ）のシート範囲変更に基づいて、関連する他の例外設定レベルのシート範囲の変更、および、新たな例外設定の生成処理を実行する。即ち、例外設定情報管理部１１４は、例外設定情報の変更を行う。
【０１４５】
ここで、具体例を挙げて以下に説明する。
まず、第２の実施形態の処理を実行する前の例外設定情報は図７の状態である。そして、第２の実施形態において、例外設定ＩＤ「１２」のレイアウトを４ｉｎ１〜２ｉｎ１へ変更したことにより、ステップＳ１１０８〜Ｓ１１１１の処理が実行される。その結果、図７の例外設定ＩＤ「１２」の処理対象シートは、「２」から「２〜３」へと変更される。この変更を受けて、他のレイアウトの処理対象シートも以下のように変更される。例外設定ＩＤ「１３」は、処理対象シート「３」から「４」へ、例外設定ＩＤ１４は、処理対象シート「４」から「５」へ変更される（ステップＳ１１０８の処理に相当）。そして、これらの変更を受けて、関連する他の例外設定ＩＤが検出される（ステップＳ１１０９、Ｓ１１１０）。なお、第２の実施形態では、例外設定ＩＤが変更対象となり、以下のように変更される。例外設定ＩＤ「１」は、処理対象シート「１〜２」から「１〜３」、例外設定ＩＤ「２」は、処理対象シート「３〜４」から「４〜５」へと変更される。同様に、例外設定ＩＤ「４」は、処理対象シート「２」から「２〜３」、例外設定ＩＤ「５」は、処理対象シート「４」から「５」、例外設定ＩＤ「６」は、処理対象シート「４」から「５」と順次変更される。その後、図１７の画面におけるステープルの処理対象シートの変更を受けて、例外設定情報は、図１３Ａのように変更され（ステップＳ１１０７）、更新される（ステップＳ１１１２）。
【０１４６】
ここで、図１３Ａは、第２の実施形態におけるステップＳ１４０７〜Ｓ１４０９に示す操作処理の際に更新される例外設定情報１３０１の一例を示す図である。
【０１４７】
続いて、ステップＳ１１１３において、例外設定情報管理部１１４は、例外設定関連付け情報を更新する。ここで、図１３Ｂは、第２の実施形態におけるステップＳ１４０７〜Ｓ１４０９に示す操作処理の際に更新される例外設定関連付け情報１３０２の一例を示す図である。
【０１４８】
続いて、ステップＳ１１１４において、ジョブチケット作成部１０８は、サブジョブチケットを再生成する。
【０１４９】
続いて、ステップＳ１１１５において、例えば、ジョブチケット管理部１１２は、不要なサブジョブチケットがあるか否かを判断する。
【０１５０】
ステップＳ１１１５の判断の結果、不要なサブジョブチケットがある場合には、続いて、ステップＳ１１１６に進む。そして、ステップＳ１１１６において、ジョブチケット管理部１１２は、不要なサブジョブチケットを、ジョブチケットＤＢ１１３から削除する。なお、不要なサブジョブチケットとは、ステップＳ１１０６において結合して残さないと判定されたサブジョブチケットＩＤに対応するサブジョブチケットである。
【０１５１】
そして、ステップＳ１１１５で不要なサブジョブチケットがないと判断された場合、或いは、ステップＳ１１１６の処理が終了した場合には、図１１に示すフローチャートにおける処理が終了する。
【０１５２】
図１８は、第２の実施形態に係るジョブ管理装置１００において、表示装置１１６に例外設定レベル別表示が行われている場合に、印刷処理済みのジョブを例外設定毎に編集する際の第３の操作処理手順例を示すフローチャートである。この際、図１８に示すフローチャートの処理は、例えば、図１に示す制御部１０５による制御のもとで行われる。
【０１５３】
また、図１９は、図１８に示す第３の操作処理手順例に係るジョブ管理アプリケーション及びその操作例を示す模式図である。
【０１５４】
ここでは、例えば、「ステープル」の例外設定レベルの範囲を変更して、３分冊から２分冊に変更する場合について説明する。
【０１５５】
この場合、ステップＳ１８０１において、制御部１０５は、まず、ジョブ管理アプリケーションを起動し、ジョブ表示部１０２を制御して、図１９（ａ）に示すジョブリスト画面を表示装置１１６に表示させる。その後、制御部１０５は、オペレータが操作部１０４を介して選択した、図１９（ａ）に示すジョブ１９００の選択処理を行う。
【０１５６】
続いて、ステップＳ１８０２において、制御部１０５は、まず、オペレータが操作部１０４のポインティングデバイスを右クリックしたことを検知すると、ジョブ表示部１０２にジョブリスト画面における機能メニュー（不図示）を表示させる。その後、オペレータから操作部１０４を介して、機能メニューの中から「ジョブ表示方法選択」の選択がなされると、制御部１０５は、ジョブ表示部１０２に、ジョブ表示方法メニュー（不図示）を表示させる。
【０１５７】
続いて、ステップＳ１８０３において、オペレータが操作部１０４を介してジョブ表示方法メニューの中から「例外設定レベル別表示」の選択を行うと、制御部１０５は、これを検知する。ここで、「例外設定レベル別表示」は、ジョブの印刷設定を例外設定レベルで表示するものである。そして、制御部１０５は、ジョブ表示部１０２に、例外設定レベルメニュー（不図示）を表示させる。
【０１５８】
続いて、ステップＳ１８０４において、オペレータが操作部１０４を介して例外設定レベルメニューの中から「ステープル」の選択を行うと、制御部１０５は、これを検知する。そして、制御部１０５は、例外設定表示部１０３に対して、ジョブリスト画面に、図１９（ａ）に示す「例外設定レベル（「ステープル」）の印刷設定表示」１９０１を表示させる。
【０１５９】
続いて、ステップＳ１８０５において、制御部１０５は、まず、オペレータが操作部１０４を介して変更した、図１９（ａ）に示す編集対象例外設定のシート範囲１９０２を検出する。ここで本例では、ＩＤ＝２のステープルにおけるシート範囲「４〜５」であったものが「３〜５」に変更された場合を示している。
【０１６０】
続いて、ステップＳ１８０６において、制御部１０５は、例外設定編集部１１０に例外設定レベルの自動統合処理を行わせ、例外設定表示部１０３に対して当該統合処理結果をジョブリスト画面に更新表示させる。具体的に、本例では、単独で存在していた図１９（ａ）に示す「ステープル」の例外設定レベル１９０３は「ステープル」の例外設定レベル１９０４に統合され、図１９（ｂ）に示す「ステープル」の例外設定レベル１９０５として自動的に更新される。
【０１６１】
この図１８に示す操作処理の際の第２の実施形態に係るジョブ管理装置１００の処理の一例を以下に示す。
【０１６２】
まず、操作部１０４を介してオペレータから例外設定の編集が指示され、例外設定編集部１１０で当該指示に応じた例外設定の変更がなされると、ステップＳ１１０１において、例外設定情報管理部１１４は、当該例外設定の変更を検知する。
【０１６３】
続いて、ステップＳ１１０２において、例外設定情報管理部１１４は、処理対象シートが変更されたか否かを判断する。
【０１６４】
ここで、本例の場合には、処理対象シートが変更されるため、ステップＳ１１０３に進む。続いて、ステップＳ１１０３において、例外設定情報管理部１１４は、変更された例外設定の例外設定レベルが「レイアウト」であるか否かを判断する。
【０１６５】
ここで、本例の場合には、変更された例外設定の例外設定レベルが図１９に示すように、「ステープル」であるため、ステップＳ１１０４に進む。続いて、ステップＳ１１０４において、例外設定情報管理部１１４は、最終プロセスにおける例外設定レベルが増減するか否かを判断する。
【０１６６】
本例の場合には、例外設定レベル１９０４のように、処理対象シート範囲が「４〜５」であったものが「３〜５」に変更された場合は、ＩＤ＝２のサブジョブチケットのシート範囲が変わることになる。このため、最終プロセスにおける例外設定レベルに係るシート範囲が図１９（ａ）に示すように「１〜２」と「３」と「３〜５」のように重複が生じるため、図１９（ｂ）に示す統合処理が行われることになる。したがって、最終プロセスにおける例外設定レベル（サブジョブチケット）は減少すると判断されて、ステップＳ１１０６に進む。
【０１６７】
続いて、ステップＳ１１０６において、例外設定情報管理部１１４は、サブジョブチケットＩＤの小さい方を統合して残すサブジョブチケットＩＤとして判別する。具体的に、図１９（ａ）に示す例外設定レベル１９０３のサブジョブチケットＩＤは３であり、また、例外設定レベル１９０４のサブジョブチケットＩＤは２であるため、図１９（ｂ）に示すように、統合化後は、サブジョブチケットＩＤが２として処理される。
【０１６８】
なお、ステップＳ１１０７、Ｓ１１１２〜Ｓ１１１５は上述したので詳細な説明は省略する。
【０１６９】
ステップＳ１１１５の判断の結果、不要なサブジョブチケットがある場合には、続いて、ステップＳ１１１６に進む。そして、ステップＳ１１１６において、ジョブチケット管理部１１２は、不要となったサブジョブチケットを、ジョブチケットＤＢ１１３から削除する。
【０１７０】
そして、ステップＳ１１１５で不要なサブジョブチケットがないと判断された場合、或いは、ステップＳ１１１６の処理が終了した場合には、図１１に示すフローチャートにおける処理が終了する。
【０１７１】
なお、図１１のステップＳ１１０４において、最終プロセスにおける例外設定レベルが増減しない場合（すなわち±０の場合）には、例外設定レベルの関連付けを再実施する必要が無いため、ステップＳ１１１２以降の処理が実施される。
【０１７２】
第２の実施形態では、以上のようにして、例外設定が設けている印刷ジョブにおいて、例外設定レベル毎に編集する仕組みが提供され、オペレータによる例外設定毎の印刷設定の編集を容易にし、設定ミスを軽減し、処理効率を向上させることができる。これにより、第２の実施形態のジョブ管理装置１００によれば、例外設定が設けている印刷ジョブの印刷処理を行う際に、当該例外設定部分の印刷処理に係る操作が簡易なものとなり、快適な印刷処理環境を提供することが可能となる。また、オペレータによる例外設定レベルでの印刷設定の変更を容易に行うことができる。
【０１７３】
（第３の実施形態）
以下に、本発明の第３の実施形態について説明する。
第３の実施形態に係るジョブ管理装置は、図１に示す第１の実施形態に係るジョブ管理装置１００の機能構成と同様の構成からなる。また、第３の実施形態に係る印刷処理システムは、図２に示す第１の実施形態に係る印刷処理システムと同様の構成からなる。
【０１７４】
次に、第３の実施形態に係るジョブ管理装置１００の具体的な処理について、図２０〜図２４及び図３３を用いて説明する。
【０１７５】
図２０は、第３の実施形態に係るジョブ管理装置１００において、表示装置１１６に例外設定レベル別表示が行われている場合に、印刷処理済みのジョブを例外設定毎に再印刷処理する際の操作処理手順例を示すフローチャートである。この際、図２０に示すフローチャートの処理は、例えば、図１に示す制御部１０５による制御のもとで行われる。
【０１７６】
また、図２４は、図２０に示す操作処理手順例に係るジョブ管理アプリケーション及びその操作例を示す模式図である。
【０１７７】
ここでは、まず、例えば、図２４（ａ）に示す「ステープル」の例外設定レベル２４０１のシート範囲「４〜５」のみを再印刷処理する場合について、図２０を用いて説明する。
【０１７８】
ステップＳ２００１において、表示装置１１６に例外設定レベル別の表示が行われている状態で、オペレータにより操作部１０４を介して印刷対象例外設定（本例ではステープル）の例外設定レベルの「状態」が選択されると、制御部１０５は、これを検知する。そして、制御部１０５は、例えば、例外設定表示部１０３に対して、状態メニューを表示させる。ここで、図２４（ａ）の場合には、例外設定レベル２４０１の「状態」が選択されて状態メニュー２４０２が表示されている。
【０１７９】
続いて、ステップＳ２００２において、オペレータにより操作部１０４を介して状態メニューから「再印刷」が選択されると、制御部１０５は、これを検知する。そして、制御部１０５は、ジョブ情報管理部１１１に対して、該当するサブジョブチケットを選択させ、当該サブジョブチケットをジョブ送受信部１０１を介して図２に示すＭＦＰ２２０に送信する制御を行う。
【０１８０】
このサブジョブチケットをＭＦＰ２２０に送信する際の第３の実施形態に係るジョブ管理装置１００の処理の一例を、図２１を用いて以下に示す。
【０１８１】
図２１は、第３の実施形態に係るジョブ管理装置１００において、例外設定毎の再印刷処理の一例を示すフローチャートである。この際、図２１に示すフローチャートの処理は、例えば、図１に示す制御部１０５による制御のもとで行われる。
【０１８２】
このサブジョブチケットをＭＦＰ２２０に送信する際の処理として、まず、ステップＳ２１０１において、例外設定情報管理部１１４は、オペレータから操作部１０４を介して指示された例外設定再印刷指示を検知する。
【０１８３】
続いて、ステップＳ２１０２において、例外設定情報管理部１１４は、オペレータから操作部１０４を介して選択された例外設定レベルに関連するサブジョブチケットＩＤを検出する。図２４の場合、サブジョブチケットＩＤ「２」が検出される。
【０１８４】
続いて、ステップＳ２１０３において、例外設定情報管理部１１４は、選択された例外設定レベルが最終プロセスの例外設定レベルであるか否かを判断する。
【０１８５】
例えば、図２４（ａ）の例外設定レベル２４０１のように、ＩＤ＝２のサブジョブチケットの再印刷処理が指示された場合は、当該例外設定レベル２４０１が最終プロセスの例外設定レベルであると判断され、ステップＳ２１０４に進む。
【０１８６】
そして、ステップＳ２１０４において、ジョブチケット管理部１１２は、関連するサブジョブチケットＩＤからサブジョブチケットを選出する。
【０１８７】
続いて、ステップＳ２１０５において、ジョブ送受信部１０１は、ステップＳ２１０４で選出されたサブジョブチケットを、図２に示すＭＦＰ２２０に送信する。そして、ステップＳ２１０５の処理が終了すると、図２１に示すフローチャートにおける処理が終了する。
【０１８８】
次に、例えば、図２４（ｂ）に示す「レイアウト」の例外設定レベル２４０３のシート範囲「５」のみを再印刷処理する場合について、図２０を用いて説明する。
【０１８９】
ステップＳ２００１において、表示装置１１６に例外設定レベル別の表示が行われている状態で、オペレータにより操作部１０４を介して印刷対象例外設定（本例ではレイアウト）の例外設定レベルの「状態」が選択されると、制御部１０５は、これを検知する。そして、制御部１０５は、例えば、例外設定表示部１０３に対して、状態メニューを表示させる。ここで、図２４（ｂ）の場合には、例外設定レベル２４０３の「状態」が選択されて状態メニュー２４０４が表示されている。
【０１９０】
続いて、ステップＳ２００２において、オペレータにより操作部１０４を介して状態メニューから「再印刷」が選択されると、制御部１０５は、これを検知する。そして、この場合、制御部１０５は、ジョブチケット作成部１０８に対して、該当するＩＤ＝２のサブジョブチケットから、さらに選択された例外設定部分のシートのみを印刷処理するミニサブジョブチケットを生成させる。そして、制御部１０５は、当該ミニサブジョブチケットをジョブ送受信部１０１を介して図２に示すＭＦＰ２２０に送信する制御を行う。
【０１９１】
このミニサブジョブチケットをＭＦＰ２２０に送信する際の第３の実施形態に係るジョブ管理装置１００の処理の一例を、図２１を用いて以下に示す。
【０１９２】
このミニサブジョブチケットをＭＦＰ２２０に送信する際の処理として、まず、ステップＳ２１０１において、例外設定情報管理部１１４は、オペレータから操作部１０４を介して指示された例外設定再印刷指示を検知する。
【０１９３】
続いて、ステップＳ２１０２において、例外設定情報管理部１１４は、オペレータから操作部１０４を介して選択された例外設定レベルに関連するサブジョブチケットＩＤを検出する。この場合、サブジョブチケットＩＤ「２」が検出される。
【０１９４】
続いて、ステップＳ２１０３において、例外設定情報管理部１１４は、選択された例外設定レベルが最終プロセスの例外設定レベルであるか否かを判断する。
【０１９５】
ステップＳ２１０３の判断の結果、選択された例外設定レベルが最終プロセスの例外設定レベルでない場合には、ステップＳ２１０６に進む。つまり、「レイアウト」は最終プロセスではないため、ステップＳ２１０６へと進む。
【０１９６】
そして、ステップＳ２１０６において、例外設定情報管理部１１４は、選択された例外設定レベルの処理対象シート範囲が、関連するサブジョブチケットと同じであるか否かを判断する。ここで、ステップＳ２１０６の判断の結果、選択された例外設定レベルの処理対象シート範囲が関連するサブジョブチケットと同じである場合には、ステップＳ２１０４及びＳ２１０５の処理が行われ、選出されたサブジョブチケットがＭＦＰ２２０に送信される。
【０１９７】
また、図２４（ｂ）に示す例外設定レベル２４０３のように、当該例外設定レベルの処理対象シート範囲が関連するサブジョブチケットの処理対象シート範囲よりも狭い場合には、ステップＳ２１０６で同じでない（すなわち、異なる）と判断される。この場合には、ステップＳ２１０７に進む。
【０１９８】
そして、ステップＳ２１０７において、ジョブチケット作成部１０８は、ミニサブジョブチケットを生成する。
【０１９９】
続いて、ステップＳ２１０８において、ジョブ送受信部１０１は、ステップＳ２１０７で生成されたミニサブジョブチケットを、図２に示すＭＦＰ２２０に送信する。そして、ステップＳ２１０８の処理が終了すると、図２１に示すフローチャートにおける処理が終了する。
【０２００】
次に、図２１のステップＳ２１０７のミニサブジョブチケット生成処理の詳細な処理について説明する。
図２２は、図２１のステップＳ２１０７のミニサブジョブチケット生成処理における詳細な処理手順の一例を示すフローチャートである。
【０２０１】
まず、ステップＳ２２０１において、例外設定情報管理部１１４は、選択された例外設定レベルと処理対象シート範囲が重複している例外設定レベルを全て抽出する。この場合、選択された例外設定レベルの処理対象シート範囲は「５」であるため、図１３Ａより処理対象シートが「５」の例外設定レベル「３」、「８」、「１３」、「１８」が抽出される。
【０２０２】
続いて、ステップＳ２２０２において、例外設定情報管理部１１４は、ステップＳ２２０１で抽出した例外設定レベルの処理対象シート範囲を統一する。つまり、図１３Ａの例外設定レベル「３」の処理対象シート「４〜５」であるため、「５」に統一される。
【０２０３】
続いて、ステップＳ２２０３において、例外設定情報管理部１１４は、抽出した例外設定レベルで統一した処理対象シート範囲に対して、新規のミニサブジョブチケットＩＤを付加する。
【０２０４】
続いて、ステップＳ２２０４において、例外設定情報管理部１１４は、ミニサブジョブチケットに該当するシート範囲に入る例外設定レベル同士の関連付けを行い、例外設定関連付け情報を生成する。ここで、図２３は、図２２のステップＳ２２０４で生成される例外設定関連付け情報２３０１の一例を示す図である。
【０２０５】
続いて、ステップＳ２２０５において、ジョブチケット作成部１０８は、ステップＳ２２０４で生成された例外設定関連付け情報２３０１に基づいて、ミニサブジョブチケットを生成する。ここで、図３３は、ミニサブジョブチケットの一例を示す模式図である。
【０２０６】
そして、ステップＳ２２０５の処理が終了すると、図２２に示すフローチャートにおける処理が終了する。
【０２０７】
第３の実施形態では、以上のようにして、例外設定が設けている印刷ジョブにおいて、例外設定レベル毎に再印刷処理する仕組みが提供され、オペレータによる例外設定毎の再印刷処理を容易にし、設定ミスを軽減し、処理効率を向上させることができる。これにより、第３の実施形態のジョブ管理装置１００によれば、例外設定が設けている印刷ジョブの印刷処理を行う際に、当該例外設定部分の印刷処理に係る操作が簡易なものとなり、快適な印刷処理環境を提供することが可能となる。また、オペレータによる例外設定レベルでの印刷設定の変更を容易に行うことができる。
【０２０８】
（第４の実施形態）
以下に、本発明の第４の実施形態について説明する。
第４の実施形態に係るジョブ管理装置は、図１に示す第１の実施形態に係るジョブ管理装置１００の機能構成と同様の構成からなる。また、第４の実施形態に係る印刷処理システムは、図２に示す第１の実施形態に係る印刷処理システムと同様の構成からなる。
【０２０９】
次に、第４の実施形態に係るジョブ管理装置１００の具体的な処理について、図２５及び図２６を用いて説明する。
【０２１０】
図２５は、第４の実施形態に係るジョブ管理装置１００において、表示装置１１６に印刷ジョブを例外設定単位毎に表示する操作処理手順の一例を示すフローチャートである。ここで、図２５には、例外設定単位（例外設定レベル）として、例外設定シートを適用した場合を示している。この際、図２５に示すフローチャートの処理は、例えば、図１に示す制御部１０５による制御のもとで行われる。
【０２１１】
また、図２６は、図２５に示す操作処理手順例に係るジョブ管理アプリケーション及びその操作例を示す模式図である。
【０２１２】
ここでは、例えば、印刷ジョブの印刷設定を、１つ１つのジョブ単位で表示する「１ジョブ表示」の状態から、シート又はシート範囲毎に表示する「例外設定シート別表示」に切り替えて表示させる場合について、図２５を用いて説明する。
【０２１３】
ステップＳ２５０１において、制御部１０５は、まず、図２６（ａ）に示すジョブ管理アプリケーション２６０１を起動し、ジョブ表示部１０２を制御して、ジョブリスト画面２６０２表示装置１１６に表示させる。その後、制御部１０５は、オペレータが操作部１０４を介して選択したジョブ２６０３の選択処理を行う。
【０２１４】
続いて、ステップＳ２５０２において、制御部１０５は、まず、オペレータが操作部１０４のポインティングデバイスを右クリックしたことを検知すると、ジョブ表示部１０２にジョブリスト画面２６０２における機能メニュー２６０４を表示させる。その後、オペレータから操作部１０４を介して、機能メニュー２６０４の中から「ジョブ表示方法選択」の選択がなされると、制御部１０５は、ジョブ表示部１０２に、図２６（ａ）に示すジョブ表示方法メニュー２６０５を表示させる。
【０２１５】
続いて、ステップＳ２５０３において、オペレータが操作部１０４を介してジョブ表示方法メニュー２６０５の中から「例外設定シート別表示」の選択を行うと、制御部１０５は、これを検知する。ここで、「例外設定シート別表示」は、ジョブの印刷設定をシートまたはシート範囲毎に表示するものである。そして、制御部１０５は、例外設定表示部１０３に対して、ジョブリスト画面２６０２に、図２６（ｂ）に示す「シート又はシート範囲毎の印刷設定表示」２６０６を表示させる。
【０２１６】
なお、図２６（ｂ）に示す「シート又はシート範囲毎の印刷設定表示」２６０６において、２６０６はシート又はシート範囲を示し、２６０７は関連するサブジョブチケットのＩＤを示す。また、図２６（ｂ）において、２６０８は印刷処理の状態を示し、２６０９は対象シート又は対象シート範囲における例外設定内容、すなわち各例外設定シート等の例外処理パラメータを示す。
【０２１７】
第４の実施形態では、以上のようにして、例外設定が設けている印刷ジョブにおいて、例外設定レベル毎に編集した結果をシート別に表示する仕組みが提供され、オペレータによる例外設定の印刷設定の確認を容易にし、処理効率を向上させることができる。これにより、第４の実施形態のジョブ管理装置１００によれば、例外設定が設けている印刷ジョブの印刷処理を行う際に、当該例外設定部分の印刷処理に係る操作が簡易なものとなり、快適な印刷処理環境を提供することが可能となる。
【０２１８】
（第５の実施形態）
以下に、本発明の第５の実施形態について説明する。
第５の実施形態に係るジョブ管理装置は、図１に示す第１の実施形態に係るジョブ管理装置１００の機能構成と同様の構成からなる。また、第５の実施形態に係る印刷処理システムは、図２に示す第１の実施形態に係る印刷処理システムと同様の構成からなる。
【０２１９】
次に、第５の実施形態に係るジョブ管理装置１００の具体的な処理について、図２７及び図２８を用いて説明する。
【０２２０】
図２７は、第５の実施形態に係るジョブ管理装置１００において、表示装置１１６に例外設定シート別表示が行われている場合に、印刷処理済みのジョブを元原稿のページ又はページ範囲毎に編集する際の操作処理手順例を示すフローチャートである。この際、図２７に示すフローチャートの処理は、例えば、図１に示す制御部１０５による制御のもとで行われる。
【０２２１】
また、図２８は、図２７に示す操作処理手順例に係るジョブ管理アプリケーション及びその操作例を示す模式化図である。
【０２２２】
ここでは、例えば、元原稿のページ範囲「３〜６」に対して、例外設定レベルの「レイアウト」を４ｉｎ１に設定し、例外設定レベルの「カラーモード」をカラーに設定し、且つ、例外設定レベルの「メディア」をコート紙１に設定する場合について説明する。
【０２２３】
まず、制御部１０５は、オペレータからの操作部１０４を介した例外設定シート別表示の指示に基づいて、図２５のフローチャートにおける所定の操作処理を行い、表示装置１１６に図２６（ｂ）に示す例外設定シート別表示を行う。
【０２２４】
そして、ステップＳ２７０１において、オペレータから操作部１０４を介して例外設定内容処理の選択が指示されると、制御部１０５は、例外設定表示部１０３に、図２８（ａ）に示す例外設定内容メニュー２８０１を表示させる。
【０２２５】
続いて、ステップＳ２７０２において、オペレータが操作部１０４を介して例外設定内容メニュー２８０１の中から「例外設定の編集」の選択を行うと、制御部１０５は、これを検知する。そして、制御部１０５は、例えば、例外設定表示部１０３に、図２８（ｂ）に示す「印刷設定変更」ダイアログ２８０２を表示させる。
【０２２６】
続いて、ステップＳ２７０３において、オペレータが操作部１０４を介して元原稿のページ範囲の選択を行うと、制御部１０５は、これを検知する。なお、図２８（ｂ）では、ページ範囲として「３〜６」が設定される。
【０２２７】
続いて、ステップＳ２７０４において、制御部１０５は、オペレータが操作部１０４を介して設定したページ範囲に対応する例外設定の有無を判断する。
【０２２８】
ステップＳ２７０４の判断の結果、同一ページ範囲の設定である場合には、ステップＳ２７０５に進む。そして、ステップＳ２７０５において、制御部１０５は、一度に複数の例外処理パラメータの設定を受け付ける。ここで、図２８（ｂ）に示す「印刷設定変更」ダイアログ２８０２の例では、元原稿のページ範囲「３〜６」の設定に従って、レイアウト「４ｉｎ１」、カラーモード「カラー」、メディア「コート紙１」が設定されている。
【０２２９】
ステップＳ２７０４の判断の結果、同一ページ範囲の設定でない場合（複数の例外設定のうち、同一ページ範囲の設定でないものがある場合も含む）には、ステップＳ２７０６に進む。そして、ステップＳ２７０６において、制御部１０５は、オペレータが操作部１０４を介して設定する他の例外設定と分けて例外処理パラメータの設定を行う。この場合、オペレータにより、別途、ステップＳ２７０３のページ範囲の設定から同様の処理が行われる。
【０２３０】
ステップＳ２７０５又はＳ２７０６の処理が終了すると、続いて、ステップＳ２７０７において、制御部１０５は、図２８（ｂ）に示す「印刷設定変更」ダイアログ２８０２の設定一覧２８０３に基づいて、ページが重複した設定があるか否かを判断する。
【０２３１】
ステップＳ２７０７の判断の結果、ページが重複した設定がある場合には、続いて、ステップＳ２７０８に進む。そして、ステップＳ２７０８において、制御部１０５は、ページが重複した設定のうち、オペレータから操作部１０４を介して不要な設定がある旨の指示があるか否かを判断する。
【０２３２】
ステップＳ２７０８の判断の結果、不要な設定がある旨の指示がある場合には、続いて、ステップＳ２７０９において、制御部１０５は、オペレータから操作部１０４を介して指示された不要な設定を削除する。
【０２３３】
ステップＳ２７０７でページが重複した設定が無いと判断された場合、ステップＳ２７０８で不要な設定がある旨の指示が無かった場合、或いは、ステップＳ２７０９の処理が終了した場合には、図２７に示すフローチャートにおける処理が終了する。
【０２３４】
その結果、例外設定表示部１０３により、ジョブリスト画面の例外設定シート別の表示が自動的に更新される。
【０２３５】
第５の実施形態では、以上のようにして、例外設定が設けている印刷ジョブにおいて、例外設定レベル毎に編集した情報を元原稿のページ又はページ範囲毎に再編集する仕組みが提供される。よって、オペレータによる例外設定毎の印刷設定の編集の正確性を向上させ、設定ミスを軽減し、処理効率を向上させることができる。これにより、第５の実施形態のジョブ管理装置１００によれば、例外設定が設けている印刷ジョブの印刷処理を行う際に、当該例外設定部分の印刷処理に係る操作が簡易なものとなり、快適な印刷処理環境を提供することが可能となる。
【０２３６】
（第６の実施形態）
以下に、本発明の第６の実施形態について説明する。
第６の実施形態に係るジョブ管理装置は、図１に示す第１の実施形態に係るジョブ管理装置１００の機能構成と同様の構成からなる。また、第６の実施形態に係る印刷処理システムは、図２に示す第１の実施形態に係る印刷処理システムと同様の構成からなる。
【０２３７】
次に、第６の実施形態に係るジョブ管理装置１００の具体的な処理について、図２９及び図３０を用いて説明する。
【０２３８】
図２９は、第６の実施形態に係るジョブ管理装置１００において、表示装置１１６に例外設定シート別表示が行われている場合に、印刷処理済みのジョブをサブジョブチケット毎に再印刷処理する際の操作処理手順例を示すフローチャートである。ここで、サブジョブチケットは、印刷処理済みのジョブを最終プロセスの例外設定でくくったものである。この際、図２９に示すフローチャートの処理は、例えば、図１に示す制御部１０５による制御のもとで行われる。
【０２３９】
また、図３０は、図２９に示す操作処理手順例に係るジョブ管理アプリケーション及びその操作例を示す模式図である。
【０２４０】
ここでは、例えば、最終プロセスの例外設定が例外設定レベル「ステープル」であって、その例外設定レベル「ステープル」の対象シート範囲毎にくくられたサブジョブチケットのうちの一部のみを再印刷処理する場合について説明する。
【０２４１】
本例の場合には、まず、制御部１０５は、表示装置１１６に例外設定シート別表示を行う。
【０２４２】
そして、ステップＳ２９０１において、オペレータから操作部１０４を介して例外設定内容処理の選択が指示されると、制御部１０５は、例外設定表示部１０３に、図３０（ａ）に示す例外設定内容メニュー３００１を表示させる。
【０２４３】
続いて、ステップＳ２９０２において、オペレータが操作部１０４を介して例外設定内容メニュー３００１の中から「サブジョブチケットの印刷」の選択を行うと、制御部１０５は、これを検知する。そして、制御部１０５は、例えば、例外設定表示部１０３に、図３０（ａ）に示すサブジョブチケットＩＤ選択メニュー３００２を表示させる。
【０２４４】
続いて、ステップＳ２９０３において、オペレータが操作部１０４を介して再印刷処理対象のサブジョブチケットＩＤの選択を行うと、制御部１０５は、これを検知する。図３０（ａ）に示す例では、サブジョブチケットＩＤ＝２が選択された場合を示している。その結果、ジョブ情報管理部１１１によって図３０（ｂ）に示すサブジョブチケット３００３が選択され、ジョブ送受信部１０１を介して図２に示すＭＦＰ２２０に送信される。
【０２４５】
第６の実施形態では、以上のようにして、例外設定が設けている印刷ジョブにおいて、例外設定シート毎に表示がなされている場合においても、例外設定毎に再印刷する仕組みが提供される。よって、オペレータによる例外設定毎の再印刷を容易にし、設定ミスを軽減し、処理効率を向上させることができる。これにより、第６の実施形態のジョブ管理装置１００によれば、例外設定が設けている印刷ジョブの印刷処理を行う際に、当該例外設定部分の印刷処理に係る操作が簡易なものとなり、快適な印刷処理環境を提供することが可能となる。
【０２４６】
前述した各実施形態に係るジョブ管理装置１００を構成する図１の各構成部は、コンピュータのＲＡＭやＲＯＭなどに記憶されたプログラムが動作することによって実現できる。また、ジョブ管理装置１００によるジョブ管理方法を示した図３〜図６、図１０、図１１、図１４、図１８、図２０〜図２２、図２５、図２７及び図２９の各ステップは、コンピュータのＲＡＭやＲＯＭなどに記憶されたプログラムが動作することによって実現できる。そして、このプログラム及び当該プログラムを記録したコンピュータ読み取り可能な記憶媒体は本発明に含まれる。
【０２４７】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０２４８】
また、本発明は、コンピュータが供給されたプログラムを実行することにより各実施形態に係るジョブ管理装置１００の機能が実現される態様に限られない。そのプログラムがコンピュータにおいて稼働しているＯＳ（オペレーティングシステム）或いは他のアプリケーションソフト等と共同して各実施形態に係るジョブ管理装置１００の機能が実現される場合も、かかるプログラムは本発明に含まれる。また、供給されたプログラムの処理の全て、或いは一部がコンピュータの機能拡張ボードや機能拡張ユニットにより行われて各実施形態に係るジョブ管理装置１００の機能が実現される場合も、かかるプログラムは本発明に含まれる。
【図面の簡単な説明】
【０２４９】
【図１】第１の実施形態に係るジョブ管理装置の機能構成の一例を示すブロック図である。
【図２】第１の実施形態に係るジョブ管理装置を有する印刷処理システムの一例を示す模式図である。
【図３】第１の実施形態に係るジョブ管理装置において、表示装置に印刷ジョブを例外設定単位毎に表示する操作処理手順の一例を示すフローチャートである。
【図４】第１の実施形態に係るジョブ管理装置の内部処理手順の一例を示すフローチャートである。
【図５】図４のステップＳ４０８の例外設定検出処理における詳細な処理手順の一例を示すフローチャートである。
【図６】図４のステップＳ４１１のサブジョブチケット生成処理における詳細な処理手順の一例を示すフローチャートである。
【図７Ａ】第１の実施形態における例外設定情報の一例を示す図である。
【図７Ｂ】第１の実施形態における例外設定レベル別選択可能処理パラメータ情報の一例を示す図である。
【図７Ｃ】第１の実施形態における例外設定関連付け情報の一例を示す図である。
【図８】図３に示す操作処理手順例に係るジョブ管理アプリケーション及びその操作例を示す模式図である。
【図９】図３に示す操作処理手順例に係るジョブ管理アプリケーション及びその操作例を示す模式図である。
【図１０】第２の実施形態に係るジョブ管理装置において、表示装置に例外設定レベル別表示が行われている場合に、印刷処理済みのジョブを例外設定毎に編集する際の第１の操作処理手順例を示すフローチャートである。
【図１１】第２の実施形態に係るジョブ管理装置において、例外設定毎の編集処理の一例を示すフローチャートである。
【図１２】図１０に示す第１の操作処理手順例に係るジョブ管理アプリケーション及びその操作例を示す模式図である。
【図１３Ａ】第２の実施形態におけるステップＳ１４０７〜Ｓ１４０９に示す操作処理の際に更新される例外設定情報の一例を示す図である。
【図１３Ｂ】第２の実施形態におけるステップＳ１４０７〜Ｓ１４０９に示す操作処理の際に更新される例外設定関連付け情報の一例を示す図である。
【図１４】第２の実施形態に係るジョブ管理装置において、表示装置に例外設定レベル別表示が行われている場合に、印刷処理済みのジョブを例外設定毎に編集する際の第２の操作処理手順例を示すフローチャートである。
【図１５】図１４に示す第２の操作処理手順例に係るジョブ管理アプリケーション及びその操作例を示す模式図である。
【図１６】図１４に示す第２の操作処理手順例に係るジョブ管理アプリケーション及びその操作例を示す模式図である。
【図１７】図１４に示す第２の操作処理手順例に係るジョブ管理アプリケーション及びその操作例を示す模式図である。
【図１８】第２の実施形態に係るジョブ管理装置において、表示装置に例外設定レベル別表示が行われている場合に、印刷処理済みのジョブを例外設定毎に編集する際の第３の操作処理手順例を示すフローチャートである。
【図１９】図１８に示す第３の操作処理手順例に係るジョブ管理アプリケーション及びその操作例を示す模式図である。
【図２０】第３の実施形態に係るジョブ管理装置において、表示装置に例外設定レベル別表示が行われている場合に、印刷処理済みのジョブを例外設定毎に再印刷処理する際の操作処理手順例を示すフローチャートである。
【図２１】第３の実施形態に係るジョブ管理装置において、例外設定毎の再印刷処理の一例を示すフローチャートである。
【図２２】図２１のステップＳ２１０７のミニサブジョブチケット生成処理における詳細な処理手順の一例を示すフローチャートである。
【図２３】図２２のステップＳ２２０４で生成される例外設定関連付け情報の一例を示す図である。
【図２４】図２０に示す操作処理手順例に係るジョブ管理アプリケーション及びその操作例を示す模式図である。
【図２５】第４の実施形態に係るジョブ管理装置において、表示装置に印刷ジョブを例外設定単位毎に表示する操作処理手順の一例を示すフローチャートである。
【図２６】図２５に示す操作処理手順例に係るジョブ管理アプリケーション及びその操作例を示す模式図である。
【図２７】第５の実施形態に係るジョブ管理装置において、表示装置に例外設定シート別表示が行われている場合に、印刷処理済みのジョブを元原稿のページ又はページ範囲毎に編集する際の操作処理手順例を示すフローチャートである。
【図２８】図２７に示す操作処理手順例に係るジョブ管理アプリケーション及びその操作例を示す模式化図である。
【図２９】第６の実施形態に係るジョブ管理装置において、表示装置に例外設定シート別表示が行われている場合に、印刷処理済みのジョブをサブジョブチケット毎に再印刷処理する際の操作処理手順例を示すフローチャートである。
【図３０】図２９に示す操作処理手順例に係るジョブ管理アプリケーション及びその操作例を示す模式図である。
【図３１】ジョブチケットの一例を示す模式図である。
【図３２】サブジョブチケットの一例を示す模式図である。
【図３３】ミニサブジョブチケットの一例を示す模式図である。
【図３４】例外設定情報の表示の一例を示す図である。
【図３５】ジョブ管理装置のハードウェア構成の一例を示すブロック図である。
【符号の説明】
【０２５０】
１００  ジョブ管理装置
１０１  ジョブ送受信部
１０２  ジョブ表示部
１０３  例外設定表示部
１０４  操作部
１０５  制御部
１０６  ジョブチケット解釈部
１０７  ジョブチケット編集部
１０８  ジョブチケット作成部
１０９  例外設定検出部
１１０  例外設定編集部
１１１  ジョブ情報管理部
１１２  ジョブチケット管理部
１１３  ジョブチケットＤＢ
１１４  例外設定情報管理部
１１５  例外設定情報ＤＢ
１１６  表示装置
【図１】
2008305020.tif 000003
【図２】
2008305020.tif 000004
【図３】
2008305020.tif 000005
【図４】
2008305020.tif 000006
【図５】
2008305020.tif 000007
【図６】
2008305020.tif 000008
【図７Ａ】
2008305020.tif 000009
【図７Ｂ】
2008305020.tif 000010
【図７Ｃ】
2008305020.tif 000011
【図８】
2008305020.tif 000012
【図９】
2008305020.tif 000013
【図１０】
2008305020.tif 000014
【図１１】
2008305020.tif 000015
【図１２】
2008305020.tif 000016
【図１３Ａ】
2008305020.tif 000017
【図１３Ｂ】
2008305020.tif 000018
【図１４】
2008305020.tif 000019
【図１５】
2008305020.tif 000020
【図１６】
2008305020.tif 000021
【図１７】
2008305020.tif 000022
【図１８】
2008305020.tif 000023
【図１９】
2008305020.tif 000024
【図２０】
2008305020.tif 000025
【図２１】
2008305020.tif 000026
【図２２】
2008305020.tif 000027
【図２３】
2008305020.tif 000028
【図２４】
2008305020.tif 000029
【図２５】
2008305020.tif 000030
【図２６】
2008305020.tif 000031
【図２７】
2008305020.tif 000032
【図２８】
2008305020.tif 000033
【図２９】
2008305020.tif 000034
【図３０】
2008305020.tif 000035
【図３１】
2008305020.tif 000036
【図３２】
2008305020.tif 000037
【図３３】
2008305020.tif 000038
【図３４】
2008305020.tif 000039
【図３５】
2008305020.tif 000040